(57)【要約】【課題】紙メディア文書と電子メディア文書とを結合し、情報伝達媒体としての文書の利便性を高める。【解決手段】原稿読取機能、印刷機能、ファクシミリ機能、文書保管機能等を備えた情報処理装置５２に、表示コード生成機能、表示コード画像組込機能、表示コード読取機能および表示コード画像シート出力機能を追加する。情報処理装置５２は、人が目視してメッセージとして認識可能であり、かつ光学的読取機能を備えた機器により認識可能な記号配列パターンに文書ファイルが付加情報として付加された表示コードを生成し、これを紙メディア文書に組み込み、表示コードが組み込まれた紙メディア文書を印刷出力することができる。また、情報処理装置５２は、紙メディア文書に組み込まれた表示コードを読み取り、表示コードの記号配列パターンに付加された文書ファイルを端末装置５４へ送信し、または印刷出力することができる。【選択図】図９
2014225244.tif 000002
【特許請求の範囲】
【請求項１】
文書データを入力する文書データ入力部と、
前記文書データ入力部により入力された文書データを記憶する記憶部と、
前記文書データ入力部により入力された文書データまたは前記記憶部に記憶された文書データを用紙に印刷する印刷部と、
複数の升目を格子状に配列することにより形成される二次元空間における前記複数の升目のうちから１つ以上の升目を選び、この選ばれた各升目に所定の形状を有するパターン要素を配置することにより、人が目視して認識することができるメッセージを表す単一の記号パターンまたは複数の記号パターンからなる記号配列パターンが形成され、かつ、前記二次元空間における前記複数の升目のうち、前記記号配列パターンを形成するために、前記パターン要素が配置された升目をオンとし、前記パターン要素が配置されていない升目をオフとし、これらのオン、オフによって特定され、前記記号配列パターンに対応し、光学的読取機能を備えた機器により認識可能な二値情報に前記メッセージと異なる付加情報が付加された表示コードを生成する表示コード生成部とを備え、
前記表示コード生成部は、
メッセージを入力するメッセージ入力部と、
前記メッセージ入力部により入力されたメッセージを表す文字列に対応する記号配列パターンを生成する記号配列パターン生成部と、
前記記号配列パターン生成部により生成された記号配列パターンに対応する二値情報と前記文書データ入力部により入力された文書データとの対応関係を示す対応関係情報を生成する対応関係情報生成部と、
前記文書データ入力部により入力された文書データを前記付加情報として前記記憶部に記憶すると共に、前記対応関係情報生成部により生成された対応関係情報を前記記憶部に記憶する第１の記憶制御部と、
前記記号配列パターン生成部により生成された記号配列パターンを前記印刷部により用紙に印刷する第１の印刷制御部とを備えていることを特徴とする情報処理装置。
【請求項２】
用紙に印刷された記号配列パターンを読み取る記号配列パターン読取部と、
前記記号配列パターン読取部により読み取られた記号配列パターンに対応する二値情報を特定し、当該特定した二値情報に対応する文書データを前記記憶部に記憶された前記対応関係情報を参照することにより特定し、当該特定した文書データを前記記憶部から読み出す文書データ読出部と、
前記文書データ読出部により読み出された文書データを前記印刷部により用紙に印刷する第２の印刷制御部とを備えていることを特徴とする請求項１に記載の情報処理装置。
【請求項３】
前記文書データ入力部により入力された文書データおよび前記対応関係情報生成部により生成された対応関係情報を当該情報処理装置と通信可能に接続された外部装置に送信する第１の送信部とを備え、前記第１の送信部から送信された文書データおよび対応関係情報は前記外部装置に記憶されることを特徴とする請求項２に記載の情報処理装置。
【請求項４】
前記記号配列パターン読取部により読み取られた記号配列パターンに対応する二値情報を特定し、当該特定した二値情報を前記外部装置へ送信する第２の送信部と、
前記外部装置が前記第２の送信部から送信された二値情報に対応する文書データを前記外部装置に記憶された前記対応関係情報を参照することにより特定し、当該特定した文書データを当該情報処理装置へ送信したとき、当該送信された文書データを受信する受信部とを備え、
前記第２の印刷制御部は、前記受信部により受信された文書データを前記印刷部により用紙に印刷することを特徴とする請求項３に記載の情報処理装置。
【請求項５】
前記文書データ読出部により読み出された文書データを端末装置に送信する第３の送信部を備えていることを特徴とする請求項２ないし４のいずれかに記載の情報処理装置。
【請求項６】
前記受信部により受信された文書データを端末装置に送信する第４の送信部を備えていることを特徴とする請求項４に記載の情報処理装置。
【請求項７】
前記表示コードにおける記号配列パターンの構成要素として用いられ、少なくとも０〜９、Ａ〜Ｚまたはａ〜ｚの文字をそれぞれ表す複数の記号パターンの集まりである記号パターンセットが前記記憶部に記憶され、
前記記号配列パターン生成部は、前記メッセージ入力部により入力されたメッセージを表す各文字に対応する記号パターンを前記記号パターンセットから選択することにより前記記号配列パターンを生成することを特徴とする請求項１ないし６のいずれかに記載の情報処理装置。
【請求項８】
前記記号配列パターンの画像を含む表示コード画像を前記記憶部に記憶する第２の記憶制御部と、
前記第２の記憶制御部により前記記憶部に記憶された複数の表示コード画像を前記記憶部から読み出し、当該読み出した複数の表示コード画像を配列することにより表示コード画像配列を生成する表示コード画像配列生成部と、
前記表示コード画像配列生成部により生成された表示コード画像配列を前記印刷部により用紙に印刷する第３の印刷制御部とを備えていることを特徴とする請求項１ないし７のいずれかに記載の情報処理装置。
【発明の詳細な説明】
【技術分野】
【０００１】
本発明は、文書の読取、記憶、印刷、通信による転送等を行う情報処理装置に関する。
【背景技術】
【０００２】
物品に表示するコードとしてバーコードおよびＱＲコード（登録商標）が知られている。バーコードは、バーとスペースを横方向一列に並べることにより形成され、全体として縞模様に見える。バーコードにおいては、数字、文字等の記号が、バーおよびスペースからなる配列パターンに置き換えられて表示される。
【０００３】
また、ＱＲコードは、四角形の平面空間にマトリックス状にドットパターンを配列することにより形成され、全体として多数の斑点が密集した複雑な幾何学模様に見える。ＱＲコードにおいては、数字、文字等の記号がドットパターンに置き換えられて表示される。ＱＲコードは縦、横の二方向に情報を持つ二次元コードであるため、横方向にしか情報を持たない一次元コードであるバーコードと比較して多くの情報を１つのコード中に記録することができる。
【０００４】
バーコードもＱＲコードも、コードリーダや、コードリーダとして機能する多機能携帯電話機等により光学的に読み取る必要があるため、物品の外面に表示される。そのため、人が物品を見ると、その物品に表示されたバーコードまたはＱＲコードも人の目に入る。しかしながら、バーコードもＱＲコードも人が目視してその意味内容を認識することができない。バーコードは単なる縞模様にしか見えず、ＱＲコードは無意味な幾何学模様にしか見えない。
【０００５】
一方、本出願の発明者は、人が目視して認識することができるメッセージを表現でき、かつ多機能携帯電話機等により光学的に読み取ることができる記号配列パターンに、メッセージとは異なる付加情報を付加することにより形成される表示コードを発明した。すなわち、当該発明が記載された下記の特許文献１によれば、表示コードとは、複数の升目を格子状に配列することにより形成される二次元空間における前記複数の升目のうちから１つ以上の升目を選び、この選ばれた各升目に所定の形状を有するパターン要素を配置することにより、人が目視して認識することができるメッセージを表す単一の記号パターンまたは複数の記号パターンからなる記号配列パターンが形成され、かつ、前記二次元空間における前記複数の升目のうち、前記記号配列パターンを形成するために、前記パターン要素が配置された升目をオンとし、前記パターン要素が配置されていない升目をオフとし、これらのオン、オフによって特定され、前記記号配列パターンに対応し、光学的読取機能を備えた機器により認識可能な二値情報に前記メッセージと異なる付加情報が付加されたコードである（特許文献１の請求項１参照）。
【０００６】
表示コードにおける上記二値情報は、光学的読取機能を備えた機器により認識可能な情報であるので、ある者が、物品の外面に表示された表示コードに、多機能携帯電話機のカメラを向け、この多機能携帯電話機のカメラによりその表示コードを撮影することで、当該表示コードにおける上記二値情報を光学的に読み取ることができる。そして、その者は、上記二値情報に付加された付加情報を取得することができる。付加情報は、表示コードの作成者が任意に付加した情報であり、例えば、文書データ、音声データ、画像データ等である。
【０００７】
また、表示コードは、人が目視して認識することができるメッセージを表現しているので、ある者が物品を見て、その物品に表示された表示コードが目に入ったとき、その者は、その表示コードによって表現されたメッセージをその場で直接目を通じて認識することができる。
【０００８】
メッセージは、特許文献１の図４に記載されているように、数字、アルファベット、「！」、「＃」、「＄」、「＆」等の記号を用いて言葉として表現することができる。したがって、物品の名称、表示コードにおける上記二値情報に付加された付加情報を連想させる言葉（例えば付加情報のタイトル）等をメッセージとして表現することができる。
【０００９】
このように、光学的読取機能を備えた機器により認識可能でありながら、人が目視して認識可能なメッセージを表現できるという機能は、バーコードにもＱＲコードにもない、表示コード独自の機能である。
【先行技術文献】
【特許文献】
【００１０】
【特許文献１】特許第４６２９７８８号公報
【発明の概要】
【発明が解決しようとする課題】
【００１１】
ところで、従来、文書は、紙に文字や記号等を書き記したもの（紙メディア文書）であるが、近年、紙以外のメディアに文字や記号等を電子的または磁気的に記録し、コンピュータにより読み取り可能にしたもの（電子メディア文書）も文書の一種となった。そして、今日、人々は、紙メディア文書と電子メディア文書との双方を日常的に取り扱っている。
【００１２】
これら２種類の文書の長所と短所は対照的ある。すなわち、紙メディア文書は、紙に文字や記号等が直接読むことができる状態で記録されているので、人々は文書の内容を素早く読み取ることができる。しかし、紙メディア文書は、記録する情報が多い場合には、紙面が大きくなり、または紙数が増え、体積や重量が増し、保管が難しくなる。
【００１３】
一方、電子メディア文書は、記録する情報が多くても、データのサイズがわずかに大きくなるにすぎず、文書ファイルとしてハードディスク等の記憶装置に記憶することにより容易に保管することができる。しかし、電子メディア文書は、それを記憶装置から読み出し、読み出した電子メディア文書をコンピュータのモニターに表示させなければ、文書に記録された文字や記号を人が読める状態とならないので、人々が文書の内容を読み取るのに手間や時間がかかる。
【００１４】
人々が文書を取り扱う場合、紙メディア文書と電子メディア文書のそれぞれの長所を生かすように両者を組み合わせることができれば便利である。例えば、製品の製造者が消費者に製品を販売するに当たり、製品に関する説明書を製品に添付して消費者に引き渡す場合、製品の説明書のうち、製品の取扱上の注意や製品の使い方の概要を短くまとめた文書を紙メディア文書とし、製品の使い方を詳細に説明した長い文書を電子メディア文書とすれば便利である。この場合、製品の使い方の概要をまとめた紙メディア文書と、製品の使い方を詳細に説明した電子メディア文書とを結合し、消費者が、製品の使い方の概要をまとめた文書から、製品の使い方を詳細に説明した文書へスムーズに読み進めることができるようにすることが望ましい。
【００１５】
しかしながら、紙メディア文書と電子メディア文書とを結合することは困難である。２つの文書がいずれも電子メディア文書である場合には、２つの文書を結合する方法としてハイパーテキストを用いて文書間にリンクを形成する方法が知られているが、この方法を紙メディア文書と電子メディア文書との間に適用することはできない。
【００１６】
また、紙メディア文書と電子メディア文書とを結合する方法として、紙メディア文書にＱＲコードを印刷し、ＱＲコードをコードリーダで読み取り、これにより、例えば電子メディア文書が記憶されたサーバのウェブページのＵＲＬを取得し、このＵＲＬをウェブブラウザに入力してウェブページから電子メディア文書をダウンロードする方法が考えられる。
【００１７】
しかしながら、ＱＲコードは人が目視して認識することができない無意味な幾何学模様である。このため、紙メディア文書にＱＲコードを印刷すると、当該文書が見にくくなり、また、デザインが悪くなる。また、ＱＲコードは人が目視して認識することができない模様であるため、消費者は、ＱＲコード自体を見ても、ＱＲコードを介して紙メディア文書に関連づけられた電子メディア文書の内容をまったく連想することができない。この結果、消費者は、製品の使い方の概要をまとめた文書から、製品の使い方を詳細に説明した文書へスムーズに読み進めることができない。
【００１８】
本発明は例えば上述したような問題に鑑みなされたものであり、本発明の課題は、紙メディア文書と電子メディア文書とを結合することができ、情報伝達媒体としての文書の利便性を高めることができる情報処理装置を提供することにある。
【課題を解決するための手段】
【００１９】
上記課題を解決するために、本発明の第１の情報処理装置は、文書データを入力する文書データ入力部と、前記文書データ入力部により入力された文書データを記憶する記憶部と、前記文書データ入力部により入力された文書データまたは前記記憶部に記憶された文書データを用紙に印刷する印刷部と、複数の升目を格子状に配列することにより形成される二次元空間における前記複数の升目のうちから１つ以上の升目を選び、この選ばれた各升目に所定の形状を有するパターン要素を配置することにより、人が目視して認識することができるメッセージを表す単一の記号パターンまたは複数の記号パターンからなる記号配列パターンが形成され、かつ、前記二次元空間における前記複数の升目のうち、前記記号配列パターンを形成するために、前記パターン要素が配置された升目をオンとし、前記パターン要素が配置されていない升目をオフとし、これらのオン、オフによって特定され、前記記号配列パターンに対応し、光学的読取機能を備えた機器により認識可能な二値情報に前記メッセージと異なる付加情報が付加された表示コードを生成する表示コード生成部とを備え、前記表示コード生成部は、メッセージを入力するメッセージ入力部と、前記メッセージ入力部により入力されたメッセージを表す文字列に対応する記号配列パターンを生成する記号配列パターン生成部と、前記記号配列パターン生成部により生成された記号配列パターンに対応する二値情報と前記文書データ入力部により入力された文書データとの対応関係を示す対応関係情報を生成する対応関係情報生成部と、前記文書データ入力部により入力された文書データを前記付加情報として前記記憶部に記憶すると共に、前記対応関係情報生成部により生成された対応関係情報を前記記憶部に記憶する第１の記憶制御部と、前記記号配列パターン生成部により生成された記号配列パターンを前記印刷部により用紙に印刷する第１の印刷制御部とを備えていることを特徴とする。
【００２０】
また、本発明の第２の情報処理装置は、上述した本発明の第１の情報処理装置において、用紙に印刷された記号配列パターンを読み取る記号配列パターン読取部と、前記記号配列パターン読取部により読み取られた記号配列パターンに対応する二値情報を特定し、当該特定した二値情報に対応する文書データを前記記憶部に記憶された前記対応関係情報を参照することにより特定し、当該特定した文書データを前記記憶部から読み出す文書データ読出部と、前記文書データ読出部により読み出された文書データを前記印刷部により用紙に印刷する第２の印刷制御部とを備えていることを特徴とする。
【００２１】
また、本発明の第３の情報処理装置は、上述した本発明の第２の情報処理装置において、前記文書データ入力部により入力された文書データおよび前記対応関係情報生成部により生成された対応関係情報を当該情報処理装置と通信可能に接続された外部装置に送信する第１の送信部とを備え、前記第１の送信部から送信された文書データおよび対応関係情報は前記外部装置に記憶されることを特徴とする。
【００２２】
また、本発明の第４の情報処理装置は、上述した本発明の第３の情報処理装置において、前記記号配列パターン読取部により読み取られた記号配列パターンに対応する二値情報を特定し、当該特定した二値情報を前記外部装置へ送信する第２の送信部と、前記外部装置が前記第２の送信部から送信された二値情報に対応する文書データを前記外部装置に記憶された前記対応関係情報を参照することにより特定し、当該特定した文書データを当該情報処理装置へ送信したとき、当該送信された文書データを受信する受信部とを備え、前記第２の印刷制御部は、前記受信部により受信された文書データを前記印刷部により用紙に印刷することを特徴とする。
【００２３】
また、本発明の第５の情報処理装置は、上述した本発明の第２ないし第４のいずれかの情報処理装置において、前記文書データ読出部により読み出された文書データを端末装置に送信する第３の送信部を備えていることを特徴とする。
【００２４】
また、本発明の第６の情報処理装置は、上述した本発明の第４の情報処理装置において、前記受信部により受信された文書データを端末装置に送信する第４の送信部を備えていることを特徴とする。
【００２５】
また、本発明の第７の情報処理装置は、上述した本発明の第１ないし第６のいずれかの情報処理装置において、前記表示コードにおける記号配列パターンの構成要素として用いられ、少なくとも０〜９、Ａ〜Ｚまたはａ〜ｚの文字をそれぞれ表す複数の記号パターンの集まりである記号パターンセットが前記記憶部に記憶され、前記記号配列パターン生成部は、前記メッセージ入力部により入力されたメッセージを表す各文字に対応する記号パターンを前記記号パターンセットから選択することにより前記記号配列パターンを生成することを特徴とする。
【００２６】
また、本発明の第８の情報処理装置は、上述した本発明の第１ないし第７のいずれかの情報処理装置において、前記記号配列パターンの画像を含む表示コード画像を前記記憶部に記憶する第２の記憶制御部と、前記第２の記憶制御部により前記記憶部に記憶された複数の表示コード画像を前記記憶部から読み出し、当該読み出した複数の表示コード画像を配列することにより表示コード画像配列を生成する表示コード画像配列生成部と、前記表示コード画像配列生成部により生成された表示コード画像配列を前記印刷部により用紙に印刷する第３の印刷制御部とを備えていることを特徴とする。
【発明の効果】
【００２７】
本発明によれば、紙メディア文書と電子メディア文書とを結合することができ、情報伝達媒体としての文書の利便性を高めることができる。
【図面の簡単な説明】
【００２８】
【図１】表示コード画像が印刷された製品説明書を示す説明図である。
【図２】表示コードの外観上の構造を示す説明図である。
【図３】表示コードにおける記号パターンの構成を示す説明図である。
【図４】表示コードにおける記号パターンを示す説明図である。
【図５】表示コードにおけるガイドパターンおよび拡張パターンを示す説明図である。
【図６】表示コードにおける配列情報パターンを示す説明図である。
【図７】表示コードにおける識別情報パターンを示す説明図である。
【図８】表示コードにおける組合せ情報を示す説明図である。
【図９】本発明の実施形態による情報処理装置を含む情報処理システムを示す説明図である。
【図１０】本発明の実施形態による情報処理装置における操作パネル部を示す説明図である。
【図１１】本発明の実施形態による情報処理装置におけるタッチ操作画面を示す説明図である。
【図１２】本発明の実施形態による情報処理装置におけるモニター部を示す説明図である。
【図１３】本発明の実施形態による情報処理装置の電気的構成を示すブロック図である。
【図１４】本発明の実施形態による情報処理装置における表示コード生成処理および文書保存処理を示すフローチャートである。
【図１５】本発明の実施形態による情報処理装置における表示コード画像組込処理を示すフローチャートである。
【図１６】本発明の実施形態による情報処理装置における表示コード読取処理および文書出力処理を示すフローチャートである。
【図１７】本発明の実施形態による情報処理装置における表示コード画像シート生成・出力処理を示すフローチャートである。
【図１８】本発明の実施形態による情報処理装置により生成された表示コード画像シートを用いた文書リストを示す説明図である。
【図１９】図１８に示す文書リストをバインダに綴じた状態を示す説明図である。
【図２０】本発明の実施形態による情報処理装置により生成された表示コード画像シートを用いた文書カードを示す説明図である。
【図２１】本発明の実施形態による情報処理装置により生成された表示コード画像シートを用いたファクシミリレターを示す説明図である。
【図２２】表示コード画像シートの他の利用例を示す説明図である。
【図２３】表示コード画像シートのさらなる他の利用例を示す説明図である。
【発明を実施するための形態】
【００２９】
以下、本発明の実施の形態について図面を参照しながら説明する。まず、表示コード１（図２参照）により、紙メディア文書と電子メディア文書との結合を実現することができる点について説明する。
【００３０】
なお、ここでいう「文書」は、レター、メモ、ノート、通知書、報告書、請求書、領収書、契約書、証明書、説明書、論文、記事、小説、カタログ、パンフレット、マニュアル、広告、写真、絵画等、文字や記号等を書き記したものを広く含む。また、説明の便宜上、ユーザが最初に目にすることを予定して作成された文書を「一次文書」といい、一次文書を目にしたユーザに必要に応じて取得させることを予定して作成された文書を「二次文書」という。
【００３１】
図１は一次文書の一例として製品説明書を示している。図１中の製品説明書２は紙メディア文書である。製品説明書２は、例えばＡ４サイズの用紙である。製品説明書２には、製品（この例ではカメラ）の取扱上の注意事項を記載した文章３、および製品の使い方の概要を短くまとめた文章４が印刷されている。さらに、製品説明書２には、「Ｍａｎｕａｌ」というメッセージを表す記号配列パターン１３（図２参照）を有する表示コード１の表示コード画像５が印刷されている。
【００３２】
製品説明書２は、製品を購入した者に製品と共に引き渡される。購入者は、製品説明書２の文章３および４を目で直接読むことにより、製品の取扱上の注意および大まかな使い方を素早く理解することができる。
【００３３】
また、製品のより詳しい使い方を知りたいときには、購入者は、情報処理装置５２（図９参照）から操作マニュアルを取得することができる。この操作マニュアルは二次文書の一例である。操作マニュアルは電子メディア文書であり、具体的には文書ファイルである。
【００３４】
購入者のオフィスまたは自宅には情報処理装置５２が設けられている。情報処理装置５２は、本発明を適用した複合機であり、通常の複合機と同様に、原稿読取機能、印刷機能、コピー機能、ファクシミリ機能、文書保存機能等を備えている。さらに、情報処理装置５２は、後述するように、表示コード生成機能、表示コード画像組込機能、表示コード読取機能および表示コード画像シート出力機能を備えている。さらに、情報処理装置５２は、インターネットを介して外部のサーバ５３に相互通信可能に接続されており、文書ファイルをサーバ５３に転送し、またはサーバ５３から転送された文書ファイルを受け取る機能を備えている。
【００３５】
情報処理装置５２から操作マニュアルの文書ファイルを取得するに当たり、購入者は、通常の複写機で原稿をコピーするのと同様の方法で、製品説明書２に印刷された表示コード画像５を情報処理装置５２に読み取らせる。すなわち、購入者は、製品説明書２を情報処理装置５２のプラテンガラスの上に載置し、情報処理装置５２に設けられた表示コード読取開始ボタンを押す。これにより、情報処理装置５２においてプラテンガラスの下に設けられた原稿読取部６２（例えばスキャナ）が製品説明書２に印刷された表示コード画像５を光学的に読み取る。表示コード画像５に含まれる記号配列パターン１３に対応する記号バイナリー情報４３（図８参照）は、操作マニュアルの文書ファイルと対応関係が形成されており、この文書ファイルはサーバ５３に保存されている。情報処理装置５２は、読み取った表示コード画像５を分析し、当該表示コード画像５に含まれる記号配列パターン１３等に基づいて、当該文書ファイルを特定する。続いて、情報処理装置５２は、サーバ５３と通信を行い、当該文書ファイルをサーバ５３から受け取る。続いて、情報処理装置５２は、サーバ５３から受け取った操作マニュアルの文書ファイルの内容を、情報処理装置５２に設けられたモニター部６４に表示し、操作マニュアルの内容を購入者に確認させる。購入者は、操作マニュアルを確認し、操作マニュアルの文書ファイルを、文書ファイルのまま（電子データとして）取得するか、操作マニュアルの文書ファイルを印刷出力したものを取得するかを選択する。これにより、情報処理装置５２は、購入者の選択に応じ、操作マニュアルの文書ファイルを情報処理装置５２に接続されたパーソナルコンピュータ等の端末装置５４に送信し、または、操作マニュアルの文書ファイルを印刷出力する。
【００３６】
操作マニュアルには、製品の有するあらゆる機能につき、それらの使い方が詳細に記載されている。このため、操作マニュアルに記載された文章量は膨大であり、それゆえ、操作マニュアルの全部を印刷出力することにより得られる印刷物は膨大なページ数となる。もし、操作マニュアルの印刷物を一律に製品に同梱して購入者に引き渡す方法を採るとすれば、購入者は、製品を購入した直後から、かさばる印刷物の保管を強いられることとなる。これに対し、上述したように、購入者が必要な場合に限り、操作マニュアルの文書ファイルまたはそれを印刷したものを情報処理装置５２から出力する方法によれば、購入者は、製品を購入した直後から、かさばる印刷物の保管を強いられることがない。
【００３７】
このように、表示コード１により、紙メディア文書である製品説明書２と電子メディア文書である操作マニュアルとの結合を実現することができる。これにより、記録された内容を素早く読み取ることができるという紙メディア文書の長所と、保管が容易であるという電子メディア文書の長所との双方を生かし、または、保管が困難であるという紙メディア文書の短所と、記録された内容を読み取るのに手間や時間がかかるという電子メディア文書の短所とを相互に補い合い、情報伝達媒体としての文書の利便性を高めることができる。
【００３８】
また、表示コード１は、人が目視して認識することができるメッセージを表す記号配列パターン１３を有するコードであるので、紙メディア文書に表示コード１を印刷しても、当該文書が見にくくならず、デザインが悪くなることもない。
【００３９】
また、記号配列パターン１３は、人が目視して認識することができるメッセージを表しているので、購入者は、表示コード１を見ることで、表示コード１を介して、紙メディア文書に関連づけられた電子メディア文書の存在や内容を連想することができる。具体的には、購入者は、表示コード画像５中の「Ｍａｎｕａｌ」という記号配列パターン１３を見ることで、操作マニュアルの存在やその取得方法を連想することができる。この結果、購入者は、操作マニュアルを迷わずに取得することができ、製品説明書２から操作マニュアルへスムーズに読み進めることができる。
【００４０】
以下、まず、表示コード１について説明する。その次に、本発明の実施形態である情報処理装置５２について説明する。
【００４１】
（表示コードの外観上の構造）
図２は表示コードの外観上の構造を示している。図２において、表示コード１は、人が目視してメッセージとして認識可能であり、かつ光学的読取機能を備えた機器により認識可能な記号配列パターンに前記メッセージとは異なる付加情報４５（図８参照）を付加することにより形成されるコードである。より詳しく説明すると、表示コード１は、複数の升目１２を格子状に配列することによりコード空間１１を形成し、このコード空間１１における複数の升目１２のうちから１つ以上の升目１２を選び、この選ばれた各升目１２に所定の形状を有するパターン要素１５を配置することにより、人が目視して認識することができるメッセージを表す記号配列パターン１３が形成され、かつ、コード空間１１における複数の升目１２のうち、記号配列パターン１３を形成するために、パターン要素１５が配置された升目１５をオンとし、パターン要素１５が配置されていない升目１２をオフとし、これらのオン、オフによって特定される二値情報である記号バイナリー情報に前記メッセージとは異なる付加情報４５が付加されたコードである。
【００４２】
すなわち、コード空間１１は、縦方向および横方向に拡がる外形が四角形の二次元空間である。コード空間１１には、個々の形状が例えば正方形の升目１２が、格子を形作るように縦方向および横方向に複数敷き詰められている。
【００４３】
また、コード空間１１の中央部分には記号配列パターン１３が配置される。記号配列パターン１３は、単一の記号パターン１４または複数の記号パターン１４の配列により形成され、人が目視して認識可能なメッセージ（例えば「Ｍａｎｕａｌ」）を表現する。コード空間１１には、例えば、最大１２個の記号パターン１４を配列可能な行を５行設けることができ、これにより最大６０個の記号パターン１４からなる記号配列パターン１３を形成することができる。なお、表示コード１を形成するに当たり、コード空間１１に配置される記号パターン１４の個数は１個でもよい。また、記号配列パターン１３を形成するためにコード空間１１に配置可能な記号パターン１４の最大個数、一行当たりの最大個数および行数は限定されない。
【００４４】
一方、コード空間１１の周縁部分には、後述の情報処理装置５２等、表示コード読取機能を有する機器（以下、これを「表示コード読取装置」という。）を制御するための制御パターンが配置される。制御パターンには、ガイドパターン２１、２２、２３、拡張パターン２４、配列情報パターン２５、識別情報パターン２６がある。なお、制御パターンは、人が目視して認識可能なメッセージを表すものではない。
【００４５】
また、コード空間１１に配置された記号配列パターン１３および制御パターン（２１〜２６）を画像化したものが表示コード画像５であり、これが上述したように紙メディア文書（例えば図１中の製品説明書２）に印刷される。
【００４６】
（記号パターンの構造と種類）
図３は、表示コード１における記号配列パターン１３を形成する記号パターン１４の構造を示している。図４は記号パターン１４の様々な具体例を示している。図３に示すように、記号配列パターン１３を形成する各記号パターン１４は、升目１２が縦方向に１３個、横方向に５個配列された合計６５個の升目１２からなる記号パターン領域３１内に形成される。記号パターン１４は、記号パターン領域３１内の６５個の升目１２のうちから、記号パターン１４を形作るように、単一または複数の升目１２を選び、選ばれた各升目１２にパターン要素１５を配置することにより形成される。各パターン要素１５は、升目１２とほぼ同一形状およびほぼ同一の大きさを有する。
【００４７】
図４に示すように、記号パターン領域３１を形成する６５個の升目１２にパターン要素１５を適宜配置することにより、数字（０〜９）、アルファベット（Ａ〜Ｚ、ａ〜ｚ）およびその他の記号（「!」、「"」、「#」、「$」、「%」、「&」、「'」、「()、「」」、…）を表す記号パターン１４をそれぞれ形成することができる。このように、表示コード１によれば、パーソナルコンピュータのキーボードをタイプすることにより直接入力してモニターに表示することが可能な全ての記号（ＪＩＳコード３２ないし１２６）を記号パターン１４により表すことができる。さらに、これら以外の記号を記号パターン１４により表すことも可能である。
【００４８】
また、図４に示す記号パターン１４の集まりは、記号パターンセット４７として例えば情報処理装置５２の記憶部９２に記憶される。
【００４９】
（ガイドパターン・拡張パターン）
図５はガイドパターン２１、２２、２３および拡張パターン２４を示している。ガイドパターン２１、２２、２３は、表示コード読取装置が記号配列パターン１３を読み取るときに表示コード読取装置の読取部（例えば、後述する情報処理装置５２の原稿読取部６２）と記号配列パターン１３との位置ずれを補正し、または表示コード読取装置の読取部が記号配列パターン１３の読取方向を認識するためのパターンである。ガイドパターン２１は、図５（ａ）に示すように、コード空間１１における所定領域内に配置された複数の升目１２のうちから、ガイドパターン２１を形作るように、単一または複数の升目１２を選び、選ばれた各升目１２にパターン要素１５を配置することにより形成される。ガイドパターン２２、２３も、ガイドパターン２１と同様に形成される。ガイドパターン２１、２２、２３は、図５（ａ）、（ｂ）、（ｃ）に示すように、それぞれ固有な態様（形状）を有する。すなわち、ガイドパターン２１、２２、２３の態様は、それぞれ互いに異なり、また、ガイドパターン２１、２２、２３以外の他のいずれの制御パターンの態様とも異なり、さらに、いずれの記号パターン１４の態様とも異なる。そして、図２に示すように、ガイドパターン２１はコード空間１１の左上角部に配置され、ガイドパターン２２はコード空間１１の右上角部に配置され、ガイドパターン２３はコード空間１１の右下角部に配置されている。
【００５０】
記号配列パターン１３が配置される領域の外形が長方形または正方形である場合には、当該領域の４つの頂点のうち３つの頂点の位置が判明すれば、当該領域の外形を把握することができる。したがって、ガイドパターン２１、２２、２３により、記号配列パターン１３の外形を表示コード読取装置４に認識させることができる。
【００５１】
また、ガイドパターン２１とガイドパターン２２とを結ぶ直線は、記号配列パターン１３の横方向と平行である。したがって、ガイドパターン２１、２２により、記号配列パターン１３の横方向の読取方向を表示コード読取装置の読取部に認識させることができる。また、ガイドパターン２２とガイドパターン２３とを結ぶ直線は、記号配列パターン１３の縦方向と平行である。したがって、ガイドパターン２２、２３により、記号配列パターン１３の縦方向の読取方向を表示コード読取装置の読取部に認識させることができる。
【００５２】
さらに、ガイドパターン２１は記号配列パターン１３の最左側に位置する。したがって、ガイドパターン２１により、記号配列パターン１３の読取開始位置を表示コード読取装置の読取部に認識させることができる。また、ガイドパターン２２、２３は記号配列パターン１３の最右側に位置する。したがって、ガイドパターン２２またはガイドパターン２３により、記号配列パターン１３の読取終了位置を表示コード読取装置の読取部に認識させることができる。また、記号配列パターン１３の行数が２行以上の場合には、ガイドパターン２１またはガイドパターン２２により、記号配列パターン１３の最初の行を表示コード読取装置の読取部に認識させることができ、ガイドパターン２３により、記号配列パターン１３の最後の行を表示コード読取装置の読取部に認識させることができる。なお、ガイドパターン２１、２２、２３の態様（形状）は、図５（ａ）、（ｂ）、（ｃ）に示す態様に限定されない。
【００５３】
一方、拡張パターン２４は、例えば図５（ｄ）に示すように固有な態様を有し、図２に示すように、コード空間１１の左下角部に配置されている。拡張パターン２４には、その固有な態様またはコード空間１１内における固有な位置を利用して、固有な機能を与え、または固有な情報を割り当てることができる。例えば、拡張パターン２４の態様を、表示コード１を付すべき物品ごとに変化させ、表示コード１を付すべき物品ごとに態様が異なる複数の拡張パターン２４のそれぞれに、互いに異なる情報を割り当ててもよい。また、例えば、拡張パターン２４がコード空間１１の右下角部に配置されていることを利用して、ガイドパターン２１、２２、２３を用いた表示コード読取装置の読取部における位置ずれ補正または読取方向の認識を補佐する機能を拡張パターン２４に持たせてもよい。
【００５４】
（配列情報パターン）
図６は配列情報パターン２５を示している。配列情報パターン２５は、表示コード１における記号配列パターン１３を形成する記号パターン１４の配列の桁数および行数を示すパターンである。配列情報パターン２５はコード空間１１の上端中央部に配置されている（図２参照）。配列情報パターン２５は、横方向に連続して配列された８つの升目１２に、記号配列パターン１３を形成する記号パターン１４の配列の桁数および行数を表す８ビットの２値情報を示すようにパターン要素１５を配置することにより形成される。例えば、８ビットの２値情報のうち、下位４ビットが桁数を表し、上位４ビットが行数を表す。
【００５５】
例えば、図２に示す記号配列パターン１３は、「Ｍ」、「ａ」、「ｎ」、「ｕ」、「ａ」、「ｌ」をそれぞれ表す６つの記号パターン１４を１行に配列したものである。したがって、この記号配列パターン１３の桁数は６であり、行数は１である。この場合、配列情報パターン２５が示す８ビットの２値情報は「０００１０１１０」となり、これに対応する配列情報パターン２５は図６に示す通りである。
【００５６】
なお、配列情報パターン２５の配置や態様は図２に示す位置や図６に示す態様に限定されない。例えば、配列情報パターン２５をコード空間１１の下端中央部、左端中央部、または右端中央部に配置してもよい。また、例えば、配列情報パターン２５を横方向または縦方向に連続して配列された１６個の升目１２により構成し、１６ビットの２値情報を示すようにしてもよいし、配列情報パターン２５により記号配列パターン１３を形成する記号パターン１４の総数（記号数）を示してもよい。
【００５７】
（識別情報パターン）
図７は識別情報パターン２６を示している。識別情報パターン２６は、表示コード１における記号配列パターン１３に付加された付加情報４５を識別するためのパターンである。後述するように、表示コード１における記号配列パターン１３には、相互に異なる複数の付加情報４５を付加することできる。記号配列パターン１３に複数の付加情報４５が付加されている場合、情報処理装置５２は、識別情報パターン２６に基づき、記号配列パターン１３に付加された複数の付加情報４５のうち１つの付加情報４５を特定することができる。識別情報パターン２６はコード空間１１の下端中央部に配置されている（図２参照）。識別情報パターン２６は、横方向に連続して配列された８つの升目１２に、記号配列パターン１３に付加された付加情報４５の識別番号（識別情報４４）を表す８ビットの２値情報を示すようにパターン要素１５を配置することにより形成される。
【００５８】
なお、識別情報パターン２６の配置や態様は図２に示す位置や図７に示す態様に限定されない。例えば、識別情報パターン２６をコード空間１１の上端中央部、左端中央部、または右端中央部に配置してもよい。また、例えば、識別情報パターン２５を横方向または縦方向に連続して配列された１６個の升目１２により構成し、１６ビットの２値情報を示すようにしてもよい。
【００５９】
（組合せ情報）
図８は表示コード１における組合せ情報を示している。組合せ情報４１は、主として、表示コード１における記号配列パターン１３と、この記号配列パターン１３に付加された付加情報４５との対応関係を示す情報（対応関係情報）である。組合せ情報４１は、後述の情報処理装置５２等、表示コード生成機能を有する機器（以下、これを「表示コード生成装置」という。）により、表示コード１が生成される過程において生成され、表示コード読取装置の記憶部または表示コード読取装置と通信可能に接続された外部装置の記憶部に記憶される。そして、表示コード読取装置が、記号配列パターン１３を読み取って、この記号配列パターン１３に付加された付加情報４５を印刷出力または送信するとき、組合せ情報４１を参照して、読み取った記号配列パターン１３に付加された付加情報４５を特定する。
【００６０】
組合せ情報４１は、図８に示すように、メッセージテキスト情報４２、記号バイナリー情報４３、識別情報４４および付加情報４５（または付加情報特定情報４６）により構成されている。
【００６１】
メッセージテキスト情報４２は、表示コード１における記号配列パターン１３が表現しているメッセージをテキストで表したものである。例えば、図２に示す表示コード１における記号配列パターン１３が表現しているメッセージは「Ｍａｎｕａｌ」なので、図８に示す通り、メッセージテキスト情報４２は「Ｍａｎｕａｌ」である。
【００６２】
記号バイナリー情報４３は、表示コード１における記号配列パターン１３を二値化した二値情報である。すなわち、記号バイナリー情報４３は、コード空間１１における複数の升目１２のうち、記号配列パターン１３を形成するために、パターン要素１５が配置された升目１２をオンとし、パターン要素１５が配置されていない升目１２をオフとし、これらのオン、オフによって特定される二値情報である。
【００６３】
記号バイナリー情報４３は、記号配列パターン１３を形成する個々の記号パターン１４を二値化した二値情報を生成し、これら二値情報を、記号配列パターン１３における記号パターン１４の配列順序に従って接続することにより生成する。そして、個々の記号パターン１４の二値情報は、図３に示す記号パターン領域３１の各升目１２の位置を桁番号ｘおよび行番号ｙを用いて（ｘ，ｙ）と表すとすると、（１，１）、（１，２）、（１，３）、（１，４）、（１，５）、（１，６）、（１，７）、（１，８）、（１，９）、（１，１０）、（１，１１）、（１，１２）、（１，１３）、（２，１）、（２，２）、（２，３）、（２，４）、…、（２，１３）、（３，１）、…、（３，１３）、（４，１）、…、（４，１３）、（５，１）、…（５，１３）の順序で、各升目１２のオン、オフに「１」、「０」をそれぞれ割り当てることにより生成する。例えば、図３に示すように「Ｍ］を表す記号パターン１４の二値情報は、「１，１，１，１，１，１，１，１，１，１，１，０，０，０，１，０，０，０，０，０，０，０，０，０，０，０，０，０，１，１，１，０，０，０，０，０，０，０，０，０，１，０，０，０，０，０，０，０，０，０，０，１，１，１，１，１，１，１，１，１，１，１，０，０，」である。
【００６４】
また、図８中に示した記号バイナリー情報４３は、図２に示すように「Ｍａｎｕａｌ」を表す記号配列パターン１３に対応している。なお、記号配列パターン１３を二値化する方法は、上述した方法に限らない。
【００６５】
一方、識別情報４４は、記号配列パターン１３に複数の付加情報４５が付加されている場合に、個々の付加情報４５を識別するための番号である。識別情報４４は互いに相違する固有な番号である。なお、図８に示す例では、識別情報４４を表す識別情報パターン２６が８ビットの２値情報を示すパターンとして形成されるので、識別情報４４を２値情報として示している。
【００６６】
付加情報４５は、表示コード１における記号配列パターン１３に付加された情報である。組合せ情報４１の構造に照らして厳密に述べると、付加情報４５は、表示コード１における記号バイナリー情報４３（またはメッセージテキスト情報４２）に組み合わされた情報である。付加情報４５は、１つの記号配列パターン１３に複数付加することができる。
【００６７】
なお、付加情報４５の全部を組合せ情報に含めることにより、付加情報４５を記号配列パターン１３へ付加してもよいし、付加情報４５を特定することができる付加情報特定情報４６を組合せ情報に含めることにより、付加情報４５を記号配列パターン１３へ付加してもよい。例えば、付加情報４５が文書ファイルである場合には、文書ファイル自体を組合せ情報に含めてもよいし、文書ファイルのファイル名のみを組合せ情報に含めてもよい。
【００６８】
また、付加情報４５は、テキストデータ、文書データ、音声データ、静止画データ、動画データ、コンピュータプログラム等でもよい。
【００６９】
（情報処理装置の構成）
図９は本発明の実施形態による情報処理装置５２を含む情報処理システム５１を示し、図１０および図１１は情報処理システム５１の操作パネル部を示す。また、図１２は情報処理装置５２のモニター部を示している。
【００７０】
図９において、情報処理システム５１は、情報処理装置５２、サーバ５３、および端末装置５４を備えている。情報処理装置５２および端末装置５４は、例えばルータ５５等を備えたローカルエリアネットワーク（ＬＡＮ）５６により相互に通信可能に接続されている。また、このローカルエリアネットワーク５６は、例えばモデム５７等を介してインターネット５８に接続されており、情報処理装置５２および端末装置５４は、サーバ５３と相互通信可能にそれぞれ接続されている。なお、ローカルエリアネットワーク５６には複数の端末装置５４を接続することができる。
【００７１】
端末装置５４は、例えばパーソナルコンピュータである。サーバ５３は、例えばクラウドコンピューティングによるサービスの提供に用いることができるサーバコンピュータである。なお、サーバ５３は外部装置の具体例である。
【００７２】
情報処理装置５２は、例えば複合機である。情報処理装置５２は、原稿読取機能、印刷機能、コピー機能、ファクシミリ機能、文書ファイル保存機能等を備えている。また、情報処理装置５２は、表示コード生成機能、表示コード画像印刷機能、表示コード読取機能および表示コード画像シート出力機能を備えている。また、情報処理装置５２は、サーバ５３との間で文書ファイルを相互に転送する機能を備えている。
【００７３】
情報処理装置５２は、自動原稿搬送装置（シートフィーダ）６１、プラテンガラス（図示せず）、原稿読取部６２、操作パネル部６３、モニター部６４、印刷部６５、用紙収容部（給紙カセット）６６、排紙トレイ６７等を備えている。自動原稿搬送装置６１は、原稿搬入部６１Ａに置かれた原稿をプラテンガラス上に自動的に搬送する装置である。プラテンガラスは、読み取るべき原稿を載置する台である。原稿読取部６２は、プラテンガラス上に載置された原稿を光学的に読み取る装置であり、例えばラインスキャナである。
【００７４】
操作パネル部６３は、ユーザが情報処理装置５２を操作するための装置である。操作パネル部６３には、図１０に示すように、ファンクションボタンが設けられている。ファンクションボタンには、印刷ボタン７１、コピーボタン７２、ファクシミリボタン７３、原稿スキャンボタン７４、表示コード生成・文書保存ボタン７５、表示コード画像組込ボタン７６、表示コード読取・文書出力ボタン７７等がある。また、操作パネル部６３には、テンキー７８、開始ボタン７９、電源ボタン８０、表示コード画像シートの出力ボタン８４等が設けられている。また、操作パネル部６３にはタッチ操作画面８１が設けられている。タッチ操作画面８１は、例えば液晶ディスプレイ装置とタッチパネルとを重ね合わせることにより形成されている。タッチ操作画面８１には、図１１に示すように、文字、数字、記号等を入力することができるキーボード８２が表示される。また、タッチ操作画面８１には、ユーザがキーボード８２を操作して入力した文字、数字、記号、記号配列パターン等が表示される。
【００７５】
モニター部６４は、ユーザが情報処理装置５２の処理を確認するための装置である。モニター部６４は、例えば液晶ディスプレイ装置とタッチパネルとを重ね合わせることにより形成されている。図１２に示すように、表示コード画像５を紙メディア文書である一次文書に組み込むとき、モニター部６４に一次文書８３が表示される。ユーザは、モニター部６４を見て、表示コード画像５の一次文書８３上の位置を確認することができる。また、二次文書の文書ファイルを出力するとき、モニター部６４に当該文書ファイルの内容が表示される。ユーザは、当該文書ファイルを印刷出力する前に、当該文書ファイルの内容等を確認することができる。
【００７６】
印刷部６５は、文書データを印刷出力する装置である。印刷部６５は、原稿読取部６２により読み取られた原稿の文書データ、情報処理装置５２の記憶部９２に記憶された文書データ、端末装置５４からローカルエリアネットワーク５６を介して送信された文書データ、サーバ５３からインターネットを介して送信された文書データを印刷出力することができる。また、印刷部６５は、表示コード画像を組み込んだ紙メディア文書、または表示コード画像シート等を印刷出力することができる。用紙収容部６６は、文書を印刷する用紙を収容する機構である。排紙トレイ６７は、文書が印刷された用紙が排出される部分である。
【００７７】
図１３は情報処理装置５２の電気的構成を示している。図１３に示すように、情報処理装置５２は、ＣＰＵ（中央処理装置）９１、記憶部９２、ファクシミリ通信部９３、インターネット通信部９４、およびＬＡＮ通信部９５を備えている。これらはバスを介して相互に接続されている。また、バスには、上述した自動原稿搬送装置６１、原稿読取部６２、操作パネル部６３、モニター部６４、および印刷部６５が接続されている。
【００７８】
ＣＰＵ９１は、記憶部９２に記憶された制御プログラムを実行することにより、表示コード生成部９６、表示コード画像組込部９７、表示コード読取部９８および表示コード画像シート生成部９９として機能する。表示コード生成部９６は、表示コードの生成および文書ファイルの保存に関する処理を行う。表示コード画像組込部９７は、表示コード画像の紙メディア文書への組込に関する処理を行う。表示コード読取部９８は、表示コードの読取および文書ファイルの出力に関する処理を行う。表示コード画像シート生成部９９は表示コード画像シートの生成および出力に関する処理を行う。表示コード生成部９６、表示コード画像組込部９７、表示コード読取部９８および表示コード画像シート生成部９９の詳細については後述する。また、ＣＰＵ９１は、情報処理装置５２における原稿読取、コピー、印刷、ファクシミリ通信、端末装置５４との通信、サーバ５３との通信等の諸機能を実現するために、自動原稿搬送装置６１、原稿読取部６２、操作パネル部６３、モニター部６４、印刷部６５、記憶部９２、ファクシミリ通信部９３、インターネット通信部９４、およびＬＡＮ通信部９５を制御する。
【００７９】
記憶部９２は、例えばハードディスク装置であり、上述した制御プログラムのほか、記号パターンセット４７、組合せ情報４１、文書ファイル４８、表示コード画像データ４９等が記憶される。
【００８０】
インターネット通信部９４は、インターネット５８を介して通信を行うための制御を行う通信回路である。ＬＡＮ通信部９５は、ローカルエリアネットワーク５６を介して通信を行うための通信回路である。ファクシミリ通信部９３は、ファクシミリ送受信を制御するための通信回路である。
【００８１】
（表示コード生成・文書ファイル保存）
図１４は、情報処理装置５２における表示コード生成処理および文書保存処理を示している。文書（例えば製品の操作マニュアル）を情報処理装置５２またはサーバ５３に保存したいと考えているユーザは、まず、次の２通りの方法のうちのいずれかの方法で、文書を情報処理装置５２に入力する（ステップＳ１）。すなわち、保存したい文書が紙メディア文書である場合には、ユーザは、当該文書を情報処理装置５２に光学的に読み取らせる。当該文書を情報処理装置５２に読み取らせるに当たり、ユーザは、操作パネル部１０の表示コード生成・文書保存ボタン７５を押し、プラテンガラス上（または用紙搬入部６１Ａ）に文書を置き、開始ボタン７９を押す。これに応じ、原稿読取部６２は当該文書を光学的に読み取る。続いて、ＣＰＵ９１が、原稿読取部６２により読み取られたデータから当該文書に対応する文書データのまとまりである文書ファイルを生成する。一方、保存したい文書が電子メディア文書、すなわち文書ファイルである場合には、ユーザは、端末装置５４（図９参照）から情報処理装置５２へ文書ファイルを送信する。これにより、ＣＰＵ９１は、ＬＡＮ通信部９５を介して当該文書ファイルを受け取る。
【００８２】
続いて、ユーザは、操作パネル部６３を操作し、メッセージ（例えば、「Ｍａｎｕａｌ」）、上記保存したい文書のファイル名（例えば、「ＯｐｅｒａｔｉｏｎｓＭａｎｕａｌ．ｐｄｆ」）、および文書名（例えば「操作マニュアル」）を入力する（ステップＳ２）。例えば、図１１に示すように、ユーザは、タッチ操作画面８１中のキーボード８２を操作し、メッセージを表すテキスト、ファイル名を表すテキスト、および文書名を表すテキストを入力する。
【００８３】
メッセージ、ファイル名および文書名の入力が完了すると、ＣＰＵ９１の表示コード生成部９６が、メッセージを表す記号配列パターン１３（図２参照）を生成する（ステップＳ３）。メッセージを表す記号配列パターン１３を生成するに当たり、表示コード生成部９６は、記憶部９２に記憶された記号パターンセット４７（図４参照）を参照し、入力されたメッセージを表すテキストに対応する記号パターン１４を記号パターンセット４７の中から選択し、選択した記号パターン１４を配列する。続いて、表示コード生成部９６は、図１１に示すように、生成した記号配列パターン１３をタッチ操作画面８１に表示する。
【００８４】
続いて、表示コード生成部９６は識別情報パターン２６を生成する（ステップＳ４）。同一の記号配列パターン１３を有する他の表示コード１が存在する場合、表示コード生成部９６は、当該他の表示コード１が有する識別情報パターン２６とは異なる識別情報パターン２６を生成する。さらに、表示コード生成部９６は、識別情報パターン２６以外の必要な制御パターンを生成する。
【００８５】
続いて、表示コード生成部９６は、表示コード画像５を生成する（ステップＳ５）。表示コード画像５を生成するに当たり、表示コード生成部９６は、ステップＳ３で生成された記号配列パターン１３を構成する記号パターン１４の配列の桁数および行数に従ってコード空間１１の大きさを判断し、コード空間１１の中央部分に記号配列パターン１３を配置する。続いて、表示コード生成部９６は、コード空間１１の四隅に、予め生成されたガイドパターン２１〜２３および拡張パターン２４を配置する。続いて、表示コード生成部９６は、記号配列パターン１３を構成する記号パターン１４の配列の桁数および行数を表す配列情報パターン２５を生成し、これをコード空間１１の上端中央部に配置する。続いて、表示コード生成部９６は、コード空間１１の下端中央部に識別情報パターン２６を配置する。
【００８６】
続いて、表示コード生成部９６は、ステップＳ２で入力されたメッセージを表すテキストであるメッセージテキスト情報４２、ステップＳ３で生成した記号配列パターン１３に対応する記号バイナリー情報４３、ステップＳ４で生成した識別情報パターン２６に対応する識別情報４４、およびステップＳ２で入力されたファイル名である付加情報特定情報４６からなる組合せ情報４１を形成する（ステップＳ６）。
【００８７】
続いて、ユーザは、上記文書の文書ファイルを保存する場所を選択する。すなわち、文書ファイルは、ユーザの選択に応じ、情報処理装置５２の記憶部９２およびサーバ５３のいずれかに保存することができる。
【００８８】
ユーザが、保存場所として情報処理装置５２の記憶部９２を選択した場合には（ステップＳ７：ＮＯ）、表示コード生成部９６は、組合せ情報４１および文書ファイルを情報処理装置５２の記憶部９２に記憶する（ステップＳ８）。一方、ユーザが、保存場所としてサーバ５３を選択した場合には（ステップＳ７：ＹＥＳ）、表示コード生成部９６は、組合せ情報４１および文書ファイルをサーバ５３へ送信する（ステップＳ９）。送信された組合せ情報４１および文書ファイルは、サーバ５３の記憶部に記憶される。
【００８９】
続いて、表示コード生成部９６は、ステップＳ３およびＳ４で生成した表示コード画像５の画像データである表示コード画像データ４９を、ステップＳ２で入力された文書ファイルのファイル名、ステップＳ２で入力された文書名を表す文書名情報、および現在の日時を示す保存日時情報と共に記憶部９２に記憶する（ステップＳ１０）。
【００９０】
情報処理装置５２における表示コード生成処理および文書保存処理によれば、ユーザは、表示コード１の作成と文書ファイルの保存とを同じ場所で、同じタイミングで、一連の操作に従って容易に行うことができる。
【００９１】
（表示コード画像の組込）
図１５は、情報処理装置５２における表示コード画像組込処理を示している。図１４に示す表示コード生成処理により生成された表示コード１の表示コード画像５を一次文書である紙メディア文書（例えば製品説明書２）に組み込みたいと考えているユーザは、図１５に示すように、まず、次の２通りの方法のうちのいずれかの方法で、表示コード画像５を組み込む紙メディア文書を情報処理装置５２に入力する（ステップＳ２１）。すなわち、紙メディア文書を手書きで作成した場合のように、当該紙メディア文書に対応する文書ファイルが存在しない場合には、ユーザは、当該紙メディア文書を情報処理装置５２に光学的に読み取らせる。当該紙メディア文書を情報処理装置５２に読み取らせるに当たり、ユーザは、操作パネル部１０の表示コード画像組込ボタン７６を押し、プラテンガラス上（または用紙搬入部６１Ａ）に紙メディア文書を置き、開始ボタン７９を押す。これに応じ、原稿読取部６２は当該紙メディア文書を光学的に読み取る。続いて、ＣＰＵ９１が、原稿読取部６２により読み取られたデータから当該紙メディア文書に対応する文書ファイルを生成する。一方、表示コード画像５を組み込む紙ディア文書を端末装置５４（図９参照）で作成した場合のように、当該紙メディア文書の文書ファイルが存在する場合には、ユーザは、端末装置５４から情報処理装置５２へ当該文書ファイルを送信する。これにより、ＣＰＵ９１は、ＬＡＮ通信部９５を介して当該文書ファイルを受け取る。
【００９２】
続いて、ユーザは、紙メディア文書に組み込みたいと考えている表示コード画像５を選択する（ステップＳ２２）。表示コード画像組込部９７は、表示コード画像５をユーザに選択させるために、情報処理装置５２の記憶部９２に記憶された表示コード画像５、並びに当該表示コード画像５に対応するファイル名、文書名情報および保存日時情報（当該表示コード画像５に対応する表示コード画像データ４９と共に記憶部９２に記憶されたファイル名、文書名情報および保存日時情報）をモニター部６４に表示する。ユーザは、モニター部６４に表示された表示コード画像５、ファイル名、文書名情報および保存日時情報を見て、紙メデイア文書に組み込みたい表示コード画像５を特定し、モニター部６４の画面にタッチして、特定した表示コード画像５を選択する。
【００９３】
続いて、ユーザは、一次文書である紙メディア文書において、選択した表示コード画像５を配置する位置を設定する（ステップＳ２３）。モニター部６４には、紙メディア文書の画像が表示される。ユーザはモニター部６４の画面にタッチして、表示コード画像５を紙メディア文書の画像上において移動させ、表示コード画像５の配置を確認しながら決めることができる。
【００９４】
紙メディア文書上における表示コード画像５の配置が決まった後、表示コード画像組込部９７は、表示コード画像５（表示コード画像データ４９）を紙メディア文書のデータに組み込む（ステップＳ２４）。
【００９５】
続いて、表示コード画像組込部９７は、表示コード画像５が組み込まれた紙メディア文書のデータを印刷出力する（ステップＳ２５）。これにより、表示コード画像５が組み込まれた紙メデイア文書が生成される。
【００９６】
情報処理装置５２における表示コード画像組込処理によれば、ユーザは、表示コード画像５が組み込まれた紙メディア文書を容易に作成することができる。
【００９７】
なお、白紙の用紙に表示コード画像５のみを印刷出力することもできる。この場合には、ステップＳ２１において、ユーザは、操作パネル部１０を操作し、白紙の用紙に表示コード画像５を印刷出力する旨の指示を情報処理装置５２へ入力し、開始ボタン７９を押す。これに応じ、表示コード画像組込部９７が、白紙の用紙に対し、ステップＳ２２〜Ｓ２５の処理を行う。ユーザは、表示コード画像５のみが印刷された用紙に手書きで文章等を書き込むことにより、表示コード画像５が組み込まれた紙メディア文書を作成することができる。また、ユーザは、後述するように、白紙の用紙に表示コード画像５のみを印刷出力する機能を利用して、文書カード（図２０参照）を作成することができる。
【００９８】
また、後述するように、表示コード画像５が組み込まれた紙メディア文書のデータをファクシミリ通信部９３によりファクシミリ送信することもできる。
【００９９】
（表示コード読取・文書データ出力）
図１６は、情報処理装置５２における表示コード読取処理および文書出力処理を示している。図１６に示すように、紙メディア文書（例えば製品説明書２）に印刷された表示コード画像５の記号配列パターン１３に付加された文書ファイルを取得するときには、ユーザは、当該紙メディア文書を情報処理装置５２のプラテンガラス上に載置し、操作パネル部６３に設けられた表示コード読取・文書出力ボタン７７を押し、開始ボタン７９を押す。これに応じ、表示コード読取部９８が、当該紙メディア文書に印刷された表示コード画像５を読み取る（ステップＳ３１）。具体的には、表示コード読取部９８は、原稿読取部６２を制御し、当該紙メディア文書の紙面全体を走査し、当該紙メディア文書の紙面全体の画像を得る。続いて、表示コード読取部９８は、表示コード画像５中のガイドパターン２１〜２３等を検出し、当該紙メディア文書の紙面全体の画像における表示コード画像５の位置を認識し、当該表示コード画像５を切り出す。紙メディア文書に印刷されている表示コード画像５が１つの場合（ステップＳ３２：ＮＯ）、表示コード読取部９８は、当該切り出した表示コード画像５を以下の処理の対象として特定し、処理をステップＳ３４へ進める。
【０１００】
一方、紙メディア文書に複数の表示コード画像５が印刷されている場合には（ステップＳ３２：ＹＥＳ）、表示コード読取部９８は、当該紙メディア文書の紙面全体の画像における各表示コード画像５の位置を認識し、各表示コード画像５を切り出す。続いて、表示コード読取部９８は、ユーザに表示コード画像５を選択させるために、切り出した複数の表示コード画像５をモニター部６４またはタッチ操作画面８１に並べて表示する（ステップＳ３３）。ユーザは、例えばモニター部６４またはタッチ操作画面８１に指で触れ、所望の１つの表示コード画像５を選択することができる。ユーザが１つの表示コード画像５を選択したとき、表示コード読取部９８は、ユーザが選択した当該表示コード画像５を以下の処理の対象として特定し、処理をステップＳ３４へ進める。
【０１０１】
ステップＳ３４において、表示コード読取部９８は、処理の対象として特定された表示コード画像５から、記号配列パターン１３に対応する記号バイナリー情報４３および識別情報パターン２６に対応する識別情報４４を取得する。具体的には、表示コード読取部９８は、紙メディア文書の紙面全体の画像から切り出され、処理の対象として特定された表示コード画像５中から、記号配列パターン１３、配列情報パターン２５、および識別情報パターン２６をそれぞれ切り出す。続いて、表示コード読取部９８は、配列情報パターン２５から、記号配列パターン１３を構成する記号パターン１４の桁数および行数を認識し、これらを参考にして、記号配列パターン１３を構成する各記号パターン１４を切り出して二値情報に変換し、記号配列パターン１３に対応する記号バイナリー情報４３を生成する。さらに、表示コード読取部９８は、切り出した識別情報パターン２６から、これに対応する識別情報４４を生成する。
【０１０２】
続いて、表示コード読取部９８は、ステップＳ３４で取得した記号バイナリー情報４３および識別情報４４を含む組合せ情報４１を見つけ出すために、情報処理装置５２の記憶部９２を検索する（ステップＳ３５）。
【０１０３】
情報処理装置５２の記憶部９２を検索した結果、ステップＳ３４で取得した記号バイナリー情報４３および識別情報４４を含む組合せ情報４１が見つかった場合には（ステップＳ３５：ＹＥＳ）、表示コード読取部９８は、当該組合せ情報４１に含まれる付加情報特定情報４６に基づき、文書ファイルを特定する。この文書ファイルは、上記紙メディア文書に印刷された表示コード画像５中の記号配列パターン１３に付加された文書ファイル（例えば操作マニュアル）である。続いて、表示コード読取部９８は、当該文書ファイルを記憶部９２から読み出す（ステップＳ３６）。
【０１０４】
一方、情報処理装置５２の記憶部９２を検索した結果、ステップＳ３４で取得した記号バイナリー情報４３および識別情報４４を含む組合せ情報４１が見つからなかった場合には（ステップＳ３５：ＮＯ）、表示コード読取部９８は、ステップＳ３４で取得した記号バイナリー情報４３および識別情報４４をサーバ５３へ送信し、文書ファイルの送信を要求する（ステップＳ３７）。
【０１０５】
記号バイナリー情報４３および識別情報４４を受信したサーバ５３は、当該受信した記号バイナリー情報４３および識別情報４４を含む組合せ情報４１を見つけるために、サーバ５３の記憶部を検索する。そして、受信した記号バイナリー情報４３および識別情報４４を含む組合せ情報４１が見つかった場合には、サーバ５３は、当該組合せ情報４１に含まれる付加情報特定情報４６に基づき、文書ファイルを特定する。この文書ファイルは、上記紙メディア文書に印刷された表示コード画像５中の記号配列パターン１３に付加された文書ファイル（例えば操作マニュアル）である。続いて、サーバ５３は、当該文書ファイルを情報処理装置５２へ送信する。そして、情報処理装置５２は当該文書ファイルを受信する（ステップＳ３８）。
【０１０６】
続いて、情報処理装置５２において、表示コード読取部９８は、ステップＳ３６で情報処理装置５２の記憶部９２から読み出した文書ファイル、またはステップＳ３８でサーバ５３から受信した文書ファイルを、ユーザの選択に応じて、端末装置５４へ送信し、または印刷出力する（ステップＳ３９）。
【０１０７】
一方、サーバ５３の記憶部を検索した結果、ステップＳ３４で取得した記号バイナリー情報４３および識別情報４４を含む組合せ情報４１が見つからなかった場合には、サーバ５３はエラー情報を情報処理装置５２へ送信する。エラー情報を受信した情報処理装置５２の表示コード読取部９８は、上記紙メディア文書に印刷された表示コード画像５中の記号配列パターン１３に付加された文書ファイルが見つからない旨をモニター部６４等に表示する。なお、エラー情報の送信および表示については図１６において図示を省略している。
【０１０８】
情報処理装置５２における表示コード読取処理および文書出力処理によれば、ユーザは、複合機で普通に原稿のコピーをとるのとほぼ同じ方法で、紙メディア文書に組み込まれた表示コード画像５を読み取らせ、記号配列パターン１３に付加された文書ファイルを直ちに取得することができる。
【０１０９】
（表示コード画像シート生成・出力）
図１７は、情報処理装置５２における表示コード画像シート生成・出力処理を示している。
【０１１０】
情報処理装置５２またはサーバ５３には複数の文書ファイルを保存することができる。情報処理装置５２は、上述した表示コード生成処理および文書保存処理により、情報処理装置５２またはサーバ５３に保存する文書ファイルごとに表示コード画像５を生成し、当該生成した表示コード画像５（表示コード画像データ４９）を記憶部９２に記憶する（図１４中のステップＳ１０参照）。したがって、ユーザが情報処理装置５２を用いて複数の文書ファイルを情報処理装置５２またはサーバ５３に保存した場合、情報処理装置５２の記憶部９２には複数の表示コード画像５が記憶されている。情報処理装置５２は、ユーザの指示に従い、記憶部９２に記憶された、いずれか１つの表示コード画像５が配置され、または複数の表示コード画像５が配列された表示コード画像シート（図１８、２０参照）を生成し、出力することができる（表示コード画像シート出力機能）。なお、複数の表示コード画像５が配列された表示コード画像シートは表示コード画像配列の具体例である。
【０１１１】
情報処理装置５２は、表示コード画像シートを例えば次のように生成し、出力する。すなわち、ユーザが、操作パネル部６３の表示コード画像シートの出力ボタン８４（図１０参照）を押すと、図１７に示すように、表示コード画像シート生成部９９が、記憶部９２に記憶された複数の表示コード画像５（表示コード画像データ４９）を読み出す（ステップＳ４１）。
【０１１２】
続いて、表示コード画像シート生成部９９は、表示コード画像シートに載せる表示コード画像５をユーザに選ばせるために、読み出した表示コード画像５をモニター部６４に表示する（ステップＳ４２）。ユーザは、例えばモニター部６４に指で触れることにより、所望の１つまたは複数の表示コード画像５を選択することができる。また、ユーザは、例えばモニター部６４内の隅部に表示された全選択ボタン（図示せず）に指で触れることにより、記憶部９２に記憶されたすべての表示コード画像５を選択することもできる。
【０１１３】
続いて、表示コード画像シート生成部９９は、ユーザにより選択された表示コード画像５を配置または配列し、表示コード画像シートを生成する（ステップＳ４３）。表示コード画像５の配列の規則（例えば、１枚の用紙にいくつの表示コード画像５を配列するか、等）は、予め定められている。また、ユーザは、操作パネル部６３を操作し、当該配列の規則を任意に変更することができる。
【０１１４】
続いて、表示コード画像シート生成部９９は、生成した表示コード画像シートを用紙に印刷し、出力する（ステップＳ４４）。
【０１１５】
印刷出力された表示コード画像シートは、それ自体、紙メディア文書である。情報処理装置５２の表示コード画像シート出力機能によれば、ユーザは、情報処理装置５２またはサーバ５３に保存された文書ファイルの管理を紙メディア文書により手軽に行うことが可能になる。
【０１１６】
（表示コード画像シートの利用例１）
図１８は、情報処理装置５２により生成された表示コード画像シートを用いた文書リスト（表示コードインデックスシート）を示している。図１９は、文書リストとしての複数枚の表示コード画像シートをバインダに綴じた状態を示している。
【０１１７】
図１８または図１９に示す表示コード画像シート１２１は、情報処理装置５２の表示コード画像シート出力機能（図１７参照）により生成されたものである。この表示コード画像シート１２１には、複数の表示コード画像５Ａ、５Ｂ、５Ｃ、５Ｄが印刷されている。これら表示コード画像５Ａ、５Ｂ、５Ｃ、５Ｄはいずれも情報処理装置５２の記憶部９２に記憶されている表示コード画像であり、各表示コード画像５Ａ、５Ｂ、５Ｃ、５Ｄの記号配列パターン１３には、情報処理装置５２またはサーバ５３に保存された文書ファイルが付加されている。このように複数の表示コード画像が印刷された表示コード画像シート１２１は、以下に述べる通り、文書リストとして利用することができる。
【０１１８】
すなわち、ユーザは、表示コード画像シート１２１に印刷された表示コード画像５Ａ、５Ｂ、５Ｃ、５Ｄを目視することにより、情報処理装置５２またはサーバ５３に文書ファイルとして保存されている文書を素早く把握することができる。つまり、表示コード画像シート１２１に印刷された表示コード画像５Ａ、５Ｂ、５Ｃ、５Ｄの記号配列パターン１３はそれぞれ、情報処理装置５２またはサーバ５３に保存された文書ファイルを特定することができるメッセージを表している。具体的には、表示コード画像５Ａの記号配列パターン１３は操作マニュアルを表し、表示コード画像５Ｂの記号配列パターン１３は「Ｂ１２プロジェクト」の企画書を表している。また、表示コード画像５Ｃの記号配列パターン１３は、製品番号「Ａ−１９９５−２６０ＵＳ」の製品仕様書を表し、表示コード画像５Ｄの記号配列パターン１３は、「塚田屋ＸＹＺチョコレート」のパッケージのデザイン画を表している。ユーザは、表示コード画像シート１２１を目視することで、操作マニュアル、Ｂ１２プロジェクトの企画書、製品番号「Ａ−１９９５−２６０ＵＳ」の製品仕様書、および塚田屋ＸＹＺチョコレートのパッケージデザイン画が情報処理装置５２またはサーバ５３に保存されていることを迅速に知ることができる。このように、表示コード画像シート１２１は、情報処理装置５２またはサーバ５３に保存されている文書のリストとして機能する。ユーザはこのような文書リストに基づき、情報処理装置５２またはサーバ５３に保存された文書の管理を簡単に行うことができる。
【０１１９】
ここで、特に着目すべき点は、表示コード画像シート１２１には、表示コード画像５Ａ、５Ｂ、５Ｃ、５Ｄのほかには、文字や記号が何も印刷されていない点である。ユーザは、表示コード画像５Ａ、５Ｂ、５Ｃ、５Ｄの記号配列パターン１３が表すメッセージを目視するだけで、表示コード画像５Ａ、５Ｂ、５Ｃ、５Ｄにそれぞれ対応する文書を認識することができるので、表示コード画像５Ａ、５Ｂ、５Ｃ、５Ｄ以外に、文字も記号も印刷する必要がないのである。もっとも、予備的な情報として、表示コード画像５Ａ、５Ｂ、５Ｃ、５Ｄにそれぞれ対応する文書ファイルのファイル名、文書名情報等を表示コード画像シート１２１に印刷してもよい。
【０１２０】
また、ユーザは、情報処理装置５２の表示コード読取機能（図１６参照）を用い、表示コード画像シート１２１に配列された各表示コード画像５Ａ、５Ｂ、５Ｃ、５Ｄの記号配列パターン１３に付加された文書ファイルを印刷物として、または電子データとして容易に取得することができる。
【０１２１】
ユーザは、文書リストとしての表示コード画像シート１２１を用いることにより、情報処理装置５２またはサーバ５３に文書ファイルとして保存されている文書を素早く把握することができ、さらに、必要に応じ、文書を情報処理装置５２またはサーバ５３から容易に取り出すことができる。
【０１２２】
このように、情報処理装置５２によれば、文書リストとしての表示コード画像シート１２１と、情報処理装置５２またはサーバ５３に保存されている文書ファイルとの結合、すなわち紙メディア文書と電子メディア文書との結合を実現することができる。
【０１２３】
（表示コード画像シートの利用例２）
図２０は、情報処理装置５２により生成された表示コード画像シートを用いた文書カードを示している。
【０１２４】
図２０に示す表示コード画像シート１２２は、情報処理装置５２の表示コード画像組込機能（図１５参照）または表示コード画像シート出力機能（図１７参照）により生成されたものである。この表示コード画像シート１２１には、１つの表示コード画像５Ｅが印刷されている。この表示コード画像５Ｅは情報処理装置５２の記憶部９２に記憶されている表示コード画像であり、表示コード画像５Ｅの記号配列パターン１３には、情報処理装置５２またはサーバ５３に保存された文書ファイルが付加されている。このように１枚のシートに１つの表示コード画像が印刷された表示コード画像シート１２２は、以下に述べるように文書カードとして利用することができる。
【０１２５】
すなわち、情報処理装置５２の表示コード画像組込機能または表示コード画像シート出力機能を利用して、１枚のカード型の用紙に１つの表示コード画像のみが印刷された文書カードを、例えば、情報処理装置５２またはサーバ５３に文書ファイルとして保存されたすべての文書について作成する。このようにして作成した複数の文書カードをバインダに綴じることで、情報処理装置５２またはサーバ５３に保存された文書を管理することができる。また、必要な文書がある場合には、当該文書に対応する文書カードをバインダから外し、その文書カードに印刷された表示コード画像を、情報処理装置５２の表示コード読取機能（図１６参照）により読み取る。これにより、当該文書の印刷物または電子データを取得することができる。
【０１２６】
紙メディア文書と電子メディア文書との結合はこのような形でも実現することができる。
【０１２７】
（表示コード画像シートの利用例３）
図２１は、情報処理装置５２により生成された表示コード画像シートを用いたファクシミリレターを示している。
【０１２８】
図２１に示す表示コード画像シート１２３は、情報処理装置５２の表示コード画像組込機能（図１５参照）または表示コード画像シート出力機能（図１７参照）により生成されたものである。この表示コード画像シート１２３には、１つの表示コード画像５Ｆが印刷されている。この表示コード画像５Ｆは情報処理装置５２の記憶部９２に記憶されている表示コード画像であり、表示コード画像５Ｆの記号配列パターン１３には、サーバ５３に保存された文書ファイルが付加されている。また、表示コード画像シート１２３の紙面には大きな余白がある。以下に述べるように、ユーザは、このような表示コード画像シート１２３をファクシミリレターとして用い、サーバ５３に保存された操作マニュアルのファクシミリレター受取人への送付を実現することができる。
【０１２９】
すなわち、甲のオフィスには情報処理装置５２が置かれており、乙のオフィスにも別の情報処理装置５２が置かれており、これら２台の情報処理装置５２はいずれもインターネット５８に接続されている。また、インターネット５８にはサーバ５３も接続されている。このような環境下において、甲は、甲のオフィスに置かれている情報処理装置５２を用いて、操作マニュアルに対応する表示コード画像５Ｆが印刷された表示コード画像シート１２３を作成した後、その余白に操作マニュアルを送付する旨を手書きの文章１２４を、ボールペン等を用いて書き込む。その後、甲は、その表示コード画像シート１２３を甲のオフィスに置かれている情報処理装置５２のファクシミリ機能により、乙へファクシミリ送信する。ファクシミリ送信された表示コード画像シート１２３は、乙のオフィスに置かれている情報処理装置５２のファクシミリ機能により受信される。受信された表示コード画像シート１２３を手に取った乙は、その表示コード画像シート１２３に書き込まれた手書きの文書１２４を読み、そして、当該表示コード画像シート１２３に印刷された表示コード画像５Ｆを見る。その瞬間、乙は、操作マニュアルを取得することが可能であることを素早く認識する。そして、乙は、表示コード画像シート１２３に印刷された表示コード画像５Ｆを、乙のオフィスに置かれている情報処理装置５２の表示コード読取機能により読み取り、サーバ５３に保存されている操作マニュアルを印刷物または電子データとして取得する。
【０１３０】
このように、表示コード画像シート１２３はファクシミリレターとして機能し、また、表示コード画像シート１２３をファクシミリ送信することで、サーバ５３に保存された文書の他者への送付を実現することができる。
【０１３１】
（表示コード画像シートの利用例４）
図２２は、表示コード画像シートの他の利用例を示している。
【０１３２】
図２２に示す表示コード画像シート１２５は、表示コード画像シート出力機能（図１７参照）により生成されたものである。この表示コード画像シート１２５には、１つの文書ファイルに対応する表示コード画像５Ｇと、この文書ファイルの各ページに対応する表示コード画像１２６Ａ〜１２６Ｌが印刷されている。これら表示コード画像５Ｇ、および１２６Ａ〜１２６Ｌはそれぞれ、情報処理装置５２の記憶部９２に記憶されている表示コード画像である。また、表示コード画像５Ｇの記号配列パターン１３には、情報処理装置５２またはサーバ５３に保存された文書ファイルが付加されている。また、各表示コード画像１２６Ａ〜１２６Ｌの記号配列パターン１３には当該文書ファイルの１ページが付加されている。例えば、表示コード画像１２６Ａの記号配列パターン１３には当該文書ファイルの第１ページが付加され、表示コード画像１２６Ｂの記号配列パターン１３には当該文書ファイルの第２ページが付加され、表示コード画像１２６Ｌの記号配列パターン１３には当該文書ファイルの第１２ページが付加されている。このような表示コード画像シート１２５によれば、ユーザは、情報処理装置５２の表示コード読取機能により、表示コード画像５Ｇを読み取ることにより、文書ファイル全体を印刷物または電子データとして取得することができる。また、ユーザは、情報処理装置５２の表示コード読取機能により、表示コード画像１２６Ａ〜１２６Ｌのいずれかを読み取ることにより、文書ファイルの所望の１ページのみを印刷物または電子データとして取得することができる。
【０１３３】
（表示コード画像シートの利用例５）
図２３は、表示コード画像シートのさらなる他の利用例を示している。
【０１３４】
図２３に示す表示コード画像シート１２７は、表示コード画像シート出力機能（図１７参照）により生成されたものであり、この表示コード画像シート１２７には、１つの文書ファイルに対応する表示コード画像５Ｈと、この文書ファイルの部分に対応する表示コード画像１２８Ａ〜１２８Ｅが印刷されている。これら表示コード画像５Ｈ、および１２８Ａ〜１２８Ｅはそれぞれ、情報処理装置５２の記憶部９２に記憶されている表示コード画像である。また、表示コード画像５Ｈの記号配列パターン１３には、情報処理装置５２またはサーバ５３に保存された文書ファイルが付加されている。また、各表示コード画像１２８Ａ〜１２８Ｅの記号配列パターン１３には当該文書ファイルの部分が付加されている。例えば、表示コード画像１２８Ａの記号配列パターン１３には当該文書ファイルの第１ページから第２２ページまでの部分が付加され、表示コード画像１２８Ｂの記号配列パターン１３には当該文書ファイルの第２３ページから第４８ページまでの部分が付加され、表示コード画像１２８Ｅの記号配列パターン１３には当該文書ファイルの第１５１ページから第１８９ページまでの部分が付加されている。このような表示コード画像シート１２７によれば、ユーザは、情報処理装置５２の表示コード読取機能により、表示コード画像５Ｈを読み取ることにより、文書ファイル全体を印刷物または電子データとして取得することができる。また、ユーザは、情報処理装置５２の表示コード読取機能により、表示コード画像１２８Ａ〜１２８Ｅのいずれかを読み取ることにより、文書ファイルの所望の部分（所望のページ範囲）のみを印刷物または電子データとして取得することができる。
【０１３５】
なお、上述した実施形態では、一次文書と二次文書の組合せとして、製品説明書と操作マニュアルを例にあげたが、ほかにも、例えば、レターと同封書類、論文と参考資料、申請書と添付書類、招待状と地図、訴状と証拠資料等、様々考えられる。
【０１３６】
また、原稿読取部６３およびＬＡＮ通信部９５が文書データ入力部の具体例である。
また、操作パネル部６３がメッセージ入力部の具体例である（図１４中のステップＳ２参照）。また、表示コード生成部９６が記号配列パターン生成部の具体例である（図１４中のステップＳ３参照）。また、表示コード生成部９６が対応関係情報生成部の具体例である（図１４中のステップＳ６参照）。また、表示コード生成部９６が第１の記憶制御部の具体例である（図１４中のステップＳ８参照）。また、表示コード画像組込部９７が第１の印刷制御部の具体例である（図１５中のステップＳ２５参照）。
【０１３７】
また、表示コード読取部９８が記号配列パターン読取部の具体例である（図１６中のステップＳ３１参照）。また、表示コード読取部９８が文書データ読出部の具体例である（図１６中のステップＳ３６参照）。また、表示コード読出部９８が第２の印刷制御部の具体例である（図１６中のステップＳ３９参照）。
【０１３８】
また、表示コード生成部９６が第１の送信部の具体例である（図１４中のステップＳ９参照）。また、表示コード読出部９８が第２の送信部の具体例である（図１６中のステップＳ３７参照）。また、表示コード読出部９８が受信部の具体例である（図１６中のステップＳ３８参照）。また、表示コード読出部９８が第３の送信部および第４の送信部の具体例である（図１６中のステップＳ３９参照）。
【０１３９】
また、表示コード生成部９６が第２の記憶制御部の具体例である（図１４中のステップＳ１０参照）。また、表示コード画像シート生成部９９が表示コード画像配列生成部の具体例である（図１７中のステップＳ４１ないしＳ４３）。また、表示コード画像シート生成部９９が第３の印刷制御部の具体例である（図１７中のステップＳ４４参照）。
【０１４０】
また、本発明は、請求の範囲および明細書全体から読み取ることのできる発明の要旨または思想に反しない範囲で適宜変更可能であり、そのような変更を伴う情報処理装置もまた本発明の技術思想に含まれる。
【符号の説明】
【０１４１】
１  表示コード
２  製品説明書
３、４  文章
５、５Ａ〜５Ｈ、１２６Ａ〜１２６Ｌ、１２８Ａ〜１２８Ｅ  表示コード画像
１１  コード空間
１２  升目
１３  記号配列パターン
１４  記号パターン
１５  パターン要素
２１〜２３  ガイドパターン
２４  拡張パターン
２５  配列情報パターン
２６  識別情報パターン
３１  記号パターン領域
４１  組合せ情報
４２  メッセージテキスト情報
４３  記号バイナリー情報
４４  識別情報
４５  付加情報
４６  付加情報特定情報
４７  記号パターンセット
４８  文書ファイル
４９  表示コード画像データ
５１  情報処理システム
５２  情報処理装置
５３  サーバ
５４  端末装置
６２  原稿読取部
６３  操作パネル部
６４  モニター部
６５  印刷部
８１  タッチ操作画面
９１  ＣＰＵ
９２  記憶部
９６  表示コード生成部
９７  表示コード画像組込部
９８  表示コード読取部
９９  表示コード画像シート生成部
１２１、１２２、１２３、１２５、１２７  表示コード画像シート
１２４  文章
【図１】
2014225244.tif 000003
【図２】
2014225244.tif 000004
【図３】
2014225244.tif 000005
【図４】
2014225244.tif 000006
【図５】
2014225244.tif 000007
【図６】
2014225244.tif 000008
【図７】
2014225244.tif 000009
【図８】
2014225244.tif 000010
【図９】
2014225244.tif 000011
【図１０】
2014225244.tif 000012
【図１１】
2014225244.tif 000013
【図１２】
2014225244.tif 000014
【図１３】
2014225244.tif 000015
【図１４】
2014225244.tif 000016
【図１５】
2014225244.tif 000017
【図１６】
2014225244.tif 000018
【図１７】
2014225244.tif 000019
【図１８】
2014225244.tif 000020
【図１９】
2014225244.tif 000021
【図２０】
2014225244.tif 000022
【図２１】
2014225244.tif 000023
【図２２】
2014225244.tif 000024
【図２３】
2014225244.tif 000025